(57)【要約】 【課題】コンクリート充填鋼管柱とフラットスラブとの接合構造であって、フラットスラブ荷重に起因して鋼管柱に曲げモーメントが加わることを従来よりも確実、十分に抑制することができ、それだけ安価に済む接合構造を提供することを課題とする。【解決手段】鋼管柱１０のうち上下に隣り合う階層における上側階層の鋼管柱部分を形成する上側鋼管１として下側階層の鋼管柱部分を形成する下側鋼管２の外径Ｄ２より小さい外径Ｄ１の鋼管が採用されており、該上下鋼管１、２が、コンクリート通し孔３１を有する上側鋼管支持板３を介して接続されており、該上下鋼管接続により形成された上下鋼管間の段差棚部Ｓにフラットスラブ５が設置され、主として下側鋼管上端面に該フラットスラブ荷重が支持されている鋼管柱とフラットスラブの接合構造Ａ、Ａ’、Ｂ、Ｃ。【選択図】  図１
2005232749.tif 000002
【特許請求の範囲】
【請求項１】
鋼管が上下方向に順次連接され、該連接鋼管内部にコンクリートが充填されてなる鋼管柱とフラットスラブとの接合構造であって、該鋼管柱のうち上下に隣り合う階層における上側階層の鋼管柱部分を形成する上側鋼管として下側階層の鋼管柱部分を形成する下側鋼管の外径より小さい外径の鋼管が採用されており、該上側及び下側の鋼管がコンクリート通し孔を有する上側鋼管支持板を介して接続されており、該上下鋼管接続により形成された上下鋼管間の段差棚部にフラットスラブが設置され、主として下側鋼管上端面に該フラットスラブ荷重が支持されている鋼管柱とフラットスラブの接合構造。
【請求項２】
前記上側鋼管と前記下側鋼管とは前記上側鋼管支持板を介して、且つ、それら鋼管の中心軸線を一致させて接続されている請求項１記載の鋼管柱とフラットスラブの接合構造。    
【請求項３】
前記上側鋼管支持板は前記下側鋼管より張り出している請求項１又は２記載の鋼管柱とフラットスラブの接合構造。
【請求項４】
前記フラットスラブは、前記段差棚部に配置される端部分が該端部分以外の部分より厚く形成されている請求項１、２又は３記載の鋼管柱とフラットスラブの接合構造。
【請求項５】
前記厚く形成された端部分には前記上側鋼管の外周面に突設した補強用スタッドが配設されている請求項４記載の鋼管柱とフラットスラブの接合構造。
【請求項６】
前記上側鋼管を貫通して前記フラットスラブ内まで延在する貫通鉄筋を１又は２本以上含む請求項１から５のいずれかに記載の鋼管柱とフラットスラブの接合構造。
【請求項７】
前記貫通鉄筋の全部又は一部はフラットスラブ内のスラブ筋に重ね継ぎされている請求項６記載の鋼管柱とフラットスラブの接合構造。
【請求項８】
前記貫通鉄筋が重ね継ぎされているスラブ筋はフラットスラブ上面側に配設されたスラブ筋である請求項７記載の鋼管柱とフラットスラブの接合構造。
【請求項９】
前記フラットスラブ内のスラブ筋に重ね継ぎされた貫通鉄筋の断面積の合計は、該貫通鉄筋が重ね継ぎされたスラブ筋の断面積の合計と該スラブ筋と同じレベルに配設されたスラブ筋のうち前記上側鋼管に対向しているスラブ筋の断面積の合計との和以上である請求項７又は８記載の鋼管柱とフラットスラブの接合構造。
【発明の詳細な説明】
【技術分野】
【０００１】
本発明は、建造物における、鋼管が上下方向に順次連接され、該連接鋼管内部にコンクリートが充填されてなる鋼管柱とフラットスラブとの接合構造に関する。
【背景技術】
【０００２】
建造物における、内部にコンクリートが充填された鋼管柱とフラットスラブとの接合構造については、鋼管柱の外周にプレートを突設し、このプレートを介してフラットスラブを鋼管柱に接続する構造が知られている。
【０００３】
しかしこの接合構造によると、特許第３１５９１９４号公報が指摘しているように、フラットスラブの荷重によりプレートに加わる鉛直加重と曲げモーメントの双方を負担できるように、鋼管にそれだけ肉厚のものを採用しなければならないし、プレートの鋼管への溶接時の熱の影響も加味した肉厚のものを採用しなければならない。
【０００４】
特許第３１５９１９４号公報はこのような問題を解決するため、コンクリート通し孔を有するプレートを上下鋼管の間に介在させて上下鋼管を接続し、該鋼管の外側に張り出したプレート部分にフラットスラブの荷重を支持させるとともに鋼管の内側へ張り出したプレート部分に鋼管内に充填されたコンクリートを支持させることで、プレートに加わる曲げモーメントを鋼管の内外で平衡させ、これにより鋼管に曲げモーメントが加わることを抑制し、それだけ薄肉の鋼管の使用を可能とすることを開示している。
【０００５】
【特許文献１】特許第３１５９１９４号公報
【発明の開示】
【発明が解決しようとする課題】
【０００６】
しかしながら、特許第３１５９１９４号公報が開示する、フラットスラブにより上下鋼管間のプレートに発生する曲げモーメントを鋼管内コンクリートにより該プレートに発生する曲げモーメントで相殺させる接合構造では、フラットスラブによる曲げモーメントと鋼管内コンクリートによる曲げモーメントとを等しくすることは実際には困難であり、プレートの接続部で鋼管に無視できない曲げモーメントが加わることを避け難い。
【０００７】
そこで本発明は、鋼管が上下方向に順次連接され、該連接鋼管内部にコンクリートが充填されてなる鋼管柱とフラットスラブとの接合構造であって、フラットスラブ荷重に起因して鋼管柱に曲げモーメントが加わることを従来よりも確実、十分に抑制することができ、それだけ安価に済む接合構造を提供することを課題とする。
【課題を解決するための手段】
【０００８】
本発明者は、コンクリート充填鋼管柱へのフラットスラブの接合おいて、フラットスラブ荷重によって鋼管柱に曲げモーメントが加わることがない、或いは加わっても無視できる程度のものに抑えることができる構造を提供すべく研究を重ね次の点に着目するに至った。
【０００９】
すなわち、
(1) 上下に隣り合う階層における下側階層の鋼管柱部分を形成する下側鋼管の上端面にフラットスラブ荷重の全部又は略全部が鉛直方向に加わるようにすれば、鋼管柱にフラットスラブに起因する曲げモーメントが加わることを防止又は殆ど防止できる、
(2) 下側階層の鋼管柱部分を形成する下側鋼管の上端面にフラットスラブ荷重の全部又は略全部が鉛直方向に加わるようにするには、上側階層における鋼管柱部分を形成する上側鋼管を下側階層の鋼管柱部分を形成する下側鋼管より小径のものとして、上下鋼管間に下側鋼管の上端面直上の段差棚部分を形成し、ここでフラットスラブ荷重を支持すればよい、
(3) 上側階層の鋼管柱部分を形成する上側鋼管は、下側階層の鋼管柱部分を形成する下側鋼管に比べると荷重の負担が少ないから、上側鋼管として下側鋼管より小径ものを採用することが可能である。
【００１０】
本発明は上記着目に基づき、                                                      鋼管が上下方向に順次連接され、該連接鋼管内部にコンクリートが充填されてなる鋼管柱とフラットスラブとの接合構造であって、該鋼管柱のうち上下に隣り合う階層における上側階層の鋼管柱部分を形成する上側鋼管として下側階層の鋼管柱部分を形成する下側鋼管の外径より小さい外径の鋼管が採用されており、該上側及び下側の鋼管がコンクリート通し孔を有する上側鋼管支持板を介して接続されており、該上下鋼管接続により形成された上下鋼管間の段差棚部にフラットスラブが設置され、主として下側鋼管上端面に該フラットスラブ荷重が支持されている鋼管柱とフラットスラブの接合構造を提供する。
【００１１】
ここで、「フラットスラブ荷重」とは、フラットスラブの全荷重のうち該鋼管柱が負担すべき荷重である。
また、「フラットスラブ」には、厚さが略一定のフラットプレートと称されている床板、該フラットプレートにおいて所謂支板部を形成して厚くした端縁部を含む床板等のいずれも含まれる。
【００１２】
本発明の接合構造によると、フラットスラブは、上下鋼管間の段差棚部に設置され、それにより鋼管柱が負担すべきフラットスラブ荷重の全部又は略全部が、上側鋼管支持板を介して下側階層の鋼管柱部分を形成している下側鋼管の上端面に鉛直荷重として支持される。また、前記上側及び下側の鋼管がそれらの中心軸線を一致させて設置される場合においては、上側鋼管外径が下側鋼管内径以下の場合、上側鋼管からの荷重は上側鋼管支持板を介して下側鋼管内の該支持板下側に充填されたコンクリートに主として鉛直荷重として加わる。上側鋼管外径が下側鋼管内径より大きい場合は、上側鋼管からの荷重は上側鋼管支持板を介して下側鋼管上端面の一部（内周部）及び下側鋼管内の支持板下側に充填されたコンクリートに主として鉛直荷重として加わる。
【００１３】
従って、上下鋼管にはフラットスラブ荷重等に起因する曲げモーメントは加わらないか、加わっても無視できる程度のものとなる。それにより、鋼管の肉厚はそれだけ小さく済み、また、上側鋼管は下側鋼管より小径のものを採用するので、これらにより、接合構造全体を安価に提供できる。
【００１４】
上側鋼管支持板を介して接続される上側鋼管と下側鋼管の中心軸線は必ずしも一致させることを要しない。例えば鋼管柱が建物の内部に位置すべきものであるようなときは、上下鋼管の中心軸線を一致させてもよいが、例えば建物の外壁に沿う鋼管柱については外壁を平坦に仕上げる等のために上下鋼管の中心軸線はずれてもよい。このような場合でも、フラットスラブは、上下鋼管間の段差棚部に設置され、それにより鋼管柱が負担すべきフラットスラブ荷重の全部又は略全部が、上側鋼管支持板を介して下側鋼管の上端面に鉛直荷重として支持される。また、上側鋼管からの荷重は、上側鋼管支持板を介して下側鋼管の上端面及び（又は）該支持板下側に充填されるコンクリートに主として鉛直荷重として加わる。
【００１５】
既述のように、上下に隣り合う階層における上側鋼管の外径は、強度等の点で支障がないのであれば、下側鋼管の内径以下でもよいし、フラットスラブの支持に支障のない段差棚部を提供できるのであれば、下側鋼管の内径より大きくてもよい。
【００１６】
また、上下鋼管間の上側鋼管支持板は、フラットスラブを支持する段差棚部を提供し得るように、且つ、上側鋼管を配置できるように下側鋼管の内側へ張り出させればよいが、その張出量は、該段差棚部を形成でき、上側鋼管を配置でき、鋼管内へのコンクリート充填に支障のないコンクリート通し孔を提供できるものとすればよい。
【００１７】
コンクリート通し孔を利用して連接鋼管内へのコンクリート充填が可能である。コンクリート通し孔の孔径としては、コンクリート通し孔を利用して円滑なコンクリート充填を可能にするうえで、例えば、１５０ｍｍ径以上の大きさのものを挙げることができる。
【００１８】
上側鋼管支持板の外径は、前記フラットスラブの支持に支障のない段差棚部を提供し得るのであれば、下側鋼管の外径以下でもよいが、フラットスラブの構築等においてガイドその他として利用できるように、また、場合によってはフラットスラブ荷重の一部を負担できるように、下側鋼管の外径より若干大きくてもよい。しかしあまり大きすぎると、その張出部分に無視できない曲げモーメントが発生し、鋼管部分に影響してくる恐れがある。許容できる該張出量の例として、下側鋼管の外径、上側鋼管支持板の厚さ（強度）、フラットスラブ荷重等にもよるが、概ね５０ｍｍ〜６０ｍｍ程度以下、例えば約２５ｍｍを例示できる。しかし、張出量はこれらに限定されるものではない。
【００１９】
いずれにしても、上側鋼管支持板には鋼管内へのコンクリート充填を円滑化するための空気通し孔を前記コンクリート通し孔とは別に形成してもよい。
前記フラットスラブは、スラブの撓みを抑制するために、前記段差棚部に配置される端部分が該端部分以外の部分より厚く形成されていてもよい。
このように厚く形成された端部分を採用する場合、該厚く形成された端部分には、鋼管柱との接合を安定化させるために前記上側鋼管の外周面に突設した補強用スタッドを配設してもよい。
【００２０】
鋼管柱とフラットスラブの接合構造を安定な構造とするために、前記上側鋼管を貫通してフラットスラブ内まで延在する貫通鉄筋を１又は２本以上含んでいてもよい。
該貫通鉄筋は、フラットスラブ内に配設されたスラブ筋がそのまま延びて上側鋼管を貫通しているものでもよいし、フラットスラブ内のスラブ筋とは別に準備された鉄筋でもよく、後者の場合はフラットスラブ内まで延在させてスラブ筋に重ね継ぎしてもよい。また、貫通鉄筋として、フラットスラブ内に配設されたスラブ筋がそのまま延在したものと、別に準備されたもの或いはさらにスラブ筋に重ね継ぎされたものとを併用することも可能である。
【００２１】
貫通鉄筋をフラットスラブ内のスラブ筋に重ね継ぎする場合の代表例として、該貫通鉄筋をフラットスラブの上面側に配設されたスラブ筋に重ね継ぎする場合を挙げることができる。
いずれにしても、前記フラットスラブ内のスラブ筋に重ね継ぎされる貫通鉄筋を採用する場合、該貫通鉄筋の断面積の合計は、該貫通鉄筋が重ね継ぎされたスラブ筋の断面積の合計と該スラブ筋と同じレベル（高さ）に配設されたスラブ筋のうち前記上側鋼管に対向しているスラブ筋（そのまま延長すれば上側鋼管を貫通する位置にあるスラブ筋）の断面積の合計との和以上とすることが好ましい。
【００２２】
いずれにしても、貫通鉄筋を採用する場合、該貫通鉄筋の位置、本数は、鋼管内へのコンクリート充填が困難にならないように選択、決定すればよい。
【発明の効果】
【００２３】
以上説明したように本発明によると、鋼管が上下方向に順次連接され、該連接鋼管内部にコンクリートが充填されてなる鋼管柱とフラットスラブとの接合構造であって、フラットスラブ荷重に起因して鋼管柱に曲げモーメントが加わることを従来よりも確実、十分に抑制することができ、それだけ安価に済む接合構造を提供することができる。
【発明を実施するための最良の形態】
【００２４】
以下本発明の実施形態を図面を参照して説明する。
図１は、鋼管柱とフラットスラブとの接合構造の１例Ａを示す断面図であり、図２は上下鋼管及びそれらの間に介在する支持板の位置関係を上方から見て示す図である。
この接合構造Ａにおいては、コンクリート４を充填した鋼管柱１０における上下に隣り合う階層の上側階層の鋼管柱部分を形成している上側鋼管１と下側階層の鋼管柱部分を形成している下側鋼管２との間に上側鋼管支持板３を介在させてある。
【００２５】
上側鋼管１及び下側鋼管２はそれぞれ支持板３に溶接され、上下鋼管１、２は支持板３を介して連接されている。上下鋼管１、２は市場で入手し得る断面四角形状のもので、上側鋼管１は、本例では、その外径Ｄ１が下側鋼管２の内径Ｄ２’以下の範囲のものであり、且つ、内径Ｄ２’に近いものが採用されている。
なお、鋼管は断面四角形状のものに限定されない。円形のもの等でもよい。
【００２６】
支持板３は下側鋼管２の内側へ張り出しており、その張出部分の中央に本例では直径１５０ｍｍ程度の円形のコンクリート通し孔３１を有しており、さらに分散形成された複数の空気通し孔３０を有している。支持板３は、下側鋼管２の外側へも若干張り出している。その張出量αは本例では約２５ｍｍである。
【００２７】
上側鋼管１は支持板３の下側鋼管内側へ張り出した部分に、本例では下側鋼管２と中心軸線ＣＬを一致させて配置されており、かくして、下側鋼管２の上端面上の支持板部分に段差棚部Ｓが形成されている。なお、下側鋼管２の上端面の幅は鋼管２の外径Ｄ２から内径Ｄ２’を差し引いた鋼管２の肉厚である。
【００２８】
前記段差棚部Ｓにフラットスラブ５が設置されている。本例では、ラットスラブ５は鉄筋コンクリート製のもので、スラブコンクリート内に埋設された上側鉄筋（上側スラブ筋）５１ａ、５１ｂ及び下側鉄筋（下側スラブ筋）５２ａ、５２ｂを含んでいる。
【００２９】
鋼管１、２へのコンクリート４の充填は、鋼管柱を形成するための所定本数の鋼管を連接したのち、連接された鋼管内へ上方からコンクリート供給管を挿通して最下段鋼管から順次上方鋼管へコンクリートを充填することや、最下段鋼管から上方鋼管へ順次コンクリートを圧送充填すること等で行う。このとき、前記鋼管１、２へのコンクリート４の充填は支持板３に形成されたコンクリート通し孔３１を利用して行える。
【００３０】
以上説明した接合構造Ａによると、フラットスラブ５は、上下鋼管１、２間の段差棚部Ｓに設置され、それにより、この鋼管柱１０で負担すべきフラットスラブ５の荷重の全部又は略全部が、支持板３を介して下側鋼管２の上端面に鉛直荷重として支持される。また、上側鋼管１からの荷重は支持板３（より正確には支持板３の下側鋼管内側へ張り出した部分）を介して下側鋼管２内の支持板下側に充填されたコンクリート４’に主として鉛直荷重として加わる。
【００３１】
従って、上下鋼管１、２にはフラットスラブ５の荷重等に起因する曲げモーメントは加わらないか、加わっても無視できる程度のものとなる。それにより、鋼管１、２の肉厚はそれだけ小さく済み、また、上側鋼管１は下側鋼管２より小径のものを採用しているので、これらにより、接合構造全体を安価に提供できる。
【００３２】
以上説明した接合構造Ａにおいては、上側鋼管１の外径Ｄ１は下側鋼管２の内径Ｄ２’以下であるが、上側鋼管１の外径Ｄ１は、フラットスラブ５の支持に支障のない段差棚部を提供できるのであれば、下側鋼管２の内径Ｄ２’より大きくてもよい。
この場合、上側鋼管２からの荷重は支持板３を介して下側鋼管上端面の一部（内周部）及び下側鋼管内の支持板下側に充填されたコンクリート４’に主として鉛直荷重として加わる。
【００３３】
いずれにしても、上下鋼管１、２にはフラットスラブ荷重等に起因する曲げモーメントは加わらないか、加わっても無視できる程度のものとなる。それにより、鋼管１、２の肉厚はそれだけ小さく済み、また、上側鋼管１は下側鋼管２より小径のものを採用するので、これらにより、接合構造全体を安価に提供できる。
なお、コンクリート充填鋼管柱の全部としては、また、建造物全体としては、コンクリート充填鋼管柱に接合されるべきフラットスラブのすべてについて、本発明に係る接合構造を採用しなければならないというものではない。
【００３４】
図３（Ａ）は図１に示す構造Ａにおいて貫通鉄筋を含めた接合構造Ａ’を示している。  図１に示す構造Ａにおいては、フラットスラブ５と鋼管柱１０との接合の一層の安定化のために、フラットスラブ５の上側スラブ筋５１ａ、５１ｂ及び下側スラブ筋５２ａ、５２ｂのうち１又は２本以上を上側鋼管１に貫通させてもよい。
【００３５】
図３（Ａ）に示す例では、上側スラブ筋５１ａ、５１ｂを図３（Ｂ）に示すように２本ずつ上側鋼管１に貫通させてある。貫通鉄筋の間にあるスラブ筋５１ａ’、５１ｂ’は鋼管１を貫通していない。このように、コンクリート充填の支障にならないように貫通鉄筋を配置してある。
【００３６】
図４（Ａ）は、鋼管柱とフラットスラブとの接合構造のさらに他の例Ｂを示す断面図である。この接合構造Ｂは、図３（Ａ）に示す接合構造Ａ’において、フラットスラブ５の撓みを抑制するために、スラブ５の段差棚部Ｓに配置される端部分５０を該端部分以外の部分より厚く形成したものである。部分５０にも補強鉄筋５０ａ、５０ｂを配設してある。これらの補強鉄筋５０ａ、５０ｂの一部（合計４本）が前記貫通鉄筋５１ａ、５１ｂと同様に上側鋼管１に貫通している。
その他の点は、図３（Ａ）の接合構造Ａ’と同様であり、接合構造Ａ’における部分等と同じ部分等については図３（Ａ）と同じ参照符号を付してある。                          
【００３７】
補強鉄筋５０ａ、５０ｂの一部を貫通鉄筋として用いることに代えて、図４（Ｂ）に例示するように、上側鋼管１の下端部外周面に補強用スタッドｓｄを溶接固定して突設し、、これを厚く形成した端部分５０に埋設してもよい。かかるスタッドｓｄを採用するとともに補強鉄筋５０ａ、５０ｂの一部を鋼管１に貫通させる等を採用することも可能である。
【００３８】
図５は鋼管柱とフラットスラブとの接合構造のさらに他の例Ｃを示す断面図であり、図６は接合構造Ｃにおけるフラットスラブの上側鉄筋と上側鋼管との位置関係を上方から見て示す図である。
【００３９】
この接合構造Ｃは、図４（Ａ）に示す接合構造Ｂにおいて、鋼管柱１０とフラットスラブ５の接合構造を一層安定な構造とするために、フラットスラブ５におけるスラブ筋５１ａ、５１ｂの一部を上側鋼管１に貫通させることに代えて、断面積がスラブ筋５１ａ（５１ｂ）のそれの１．５倍以上ある鉄筋５３ａ、５３ｂを貫通鉄筋として採用したものである。その他の点は、図４（Ａ）の接合構造Ｂと同様であり、接合構造Ｂにおける部分等と同じ部分等については図４（Ａ）と同じ参照符号を付してある。
【００４０】
図６に示すように、フラットスラブ５内のスラブ筋５１ａ、５１ｂはいずれも上側鋼管１を貫通していない。一方、鉄筋５３ａ、５３ｂが２本ずつ上側鋼管１を貫通してフラットスラブ内まで延在している。貫通鉄筋５３ａはスラブ筋５１ａに重ね継ぎされており、貫通鉄筋５３ｂはスラブ筋５１ｂに重ね継ぎされている。
【００４１】
貫通鉄筋５３ａ、５３ｂ（合計４本）の断面積の合計は、フラットスラブ５内のスラブ筋５１ａ、５１ｂのうち、鋼管１に対向するスラブ筋、すなわち、そのまま延長すれば鋼管１を貫通する位置にあるスラブ筋５１ａ、５１ｂ（合計６本）の断面積の合計以上となっている。なお、鋼管１に対向するスラブ筋には、図６から分かるように、貫通鉄筋５３ａ、５３ｂが重ね継ぎされたスラブ筋５１ａ、５１ｂ及びそれらの間に配置されたスラブ筋５１ａ、５１ｂが含まれる。
【００４２】
以上説明した接合構造では、上側鋼管１及び下側鋼管２の中心軸線は一致させてあったが、鋼管１、２の中心軸線はずれていてもよい。図７はそのような場合の接合構造の例Ａ”を示している。接合構造Ａ”は、図３（Ａ）に示す接合構造Ａ’において、上側鋼管１及び下側鋼管２の外側面の一部を、鋼管柱が立設されるべき建造物の外壁面予定位置Ｗに沿う位置に配置すべく、鋼管１、２の中心軸線をずらし、該鋼管外側面の一部を一致させたものである。
【００４３】
この接合構造Ａ”においても、フラットスラブ５は、上下鋼管１、２間の段差棚部Ｓに設置され、それにより鋼管柱１０が負担すべきフラットスラブ荷重の全部又は略全部が、上側鋼管支持板３を介して下側鋼管２の上端面に鉛直荷重として支持される。また、上側鋼管１からの荷重は、上側鋼管支持板３を介して下側鋼管２の上端面及び該支持板下側に充填されるコンクリート４’に主として鉛直荷重として加わる。
【産業上の利用可能性】
【００４４】
本発明はコンクリート充填鋼管柱にフラットスラブを接合する方式の建造物構築に利用できる。
【図面の簡単な説明】
【００４５】
【図１】鋼管柱とフラットスラブとの接合構造の１例を示す断面図である。
【図２】図１に示す接合構造における上下鋼管及びそれらの間に介在する支持板の位置関係を上方から見て示す図である。
【図３】図３（Ａ）は鋼管柱とフラットスラブとの接合構造の他の例を示す断面図であり、図３（Ｂ）は鋼管をスラブ筋が貫通している様子を上方から見て示す図である。
【図４】図４（Ａ）は鋼管柱とフラットスラブとの接合構造のさらに他の例を示す断面図であり、図４（Ｂ）はスタッドを利用した接合構造の一部の平面図である。
【図５】鋼管柱とフラットスラブとの接合構造のさらに他の例を示す断面図である。
【図６】図５の接合構造におけるフラットスラブの上側鉄筋及び貫通鉄筋と上側鋼管との位置関係を上方から見て示す図である。
【図７】鋼管柱とフラットスラブとの接合構造のさらに他の例を示す断面図である。
【符号の説明】
【００４６】
Ａ、Ａ’、Ａ”、Ｂ、Ｃ  鋼管柱とフラットスラブとの接合構造
１０  鋼管柱
１  上側鋼管
Ｄ１  鋼管１の外径
２  下側鋼管
Ｄ２  鋼管２の外径
Ｄ２’鋼管２の内径
３  上側鋼管支持板
３１  コンクリート通し孔
４、４’  コンクリート
Ｓ  段差棚部
５  フラットスラブ
５１ａ、５１ｂ  スラブ５の上側鉄筋（上側スラブ筋）
５２ａ、５２ｂ  スラブ５の下側鉄筋（下側スラブ筋）
５０  スラブ５の厚い端部
５０ａ、５０ｂ  補強鉄筋
ｓｄ  補強用スタッド
５３ａ、５３ｂ  貫通鉄筋
Ｗ  建造物外壁面予定位置
【図１】
2005232749.tif 000003
【図２】
2005232749.tif 000004
【図３】
2005232749.tif 000005
【図４】
2005232749.tif 000006
【図５】
2005232749.tif 000007
【図６】
2005232749.tif 000008
【図７】
2005232749.tif 000009